(57)【要約】【課題】キーシートの取替えが容易な電子機器を提供する。【解決手段】電子機器は、複数の入力領域を含むフラットキーボードと、この入力領域を表示するための交換可能なキーシート３を覆うように形成された保護カバー１を備える。筐体５には、穴部１６が形成されている。保護カバー１は、回動するように形成されている。保護カバー１は、保護カバー１の少なくとも一部を支持することができるように形成された棒状部材１３を含む。電子機器は、穴部１６に棒状部材１３が挿入されることにより、保護カバー１を領域表示シートを交換する時の状態に係止するように形成されている。【選択図】図１
2007148662.tif 000002
【特許請求の範囲】
【請求項１】
複数の入力領域を含む入力手段と、
前記入力領域を表示するための交換可能な領域表示シートを覆うように形成されたシート保護手段と、
前記シート保護手段を維持するための係止手段と
を備え、
前記シート保護手段は、前記領域表示シートを交換するために動くように形成され、かつ、前記シート保護手段の少なくとも一部を支持することができるように形成された支持部材を含み、
前記係止手段は、前記支持部材と係合することにより、前記シート保護手段を前記領域表示シートを交換する時の状態に係止するように形成された、電子機器。
【請求項２】
前記シート保護手段は、一の端部を回動軸として回動可能に電子機器本体に固定された、請求項１に記載の電子機器。
【請求項３】
前記支持部材は、一部がシート保護手段から離れるように固定され、
前記係止手段は、前記シート保護手段から離れた前記支持部材の前記一部と係合するように形成された、請求項２に記載の電子機器。
【請求項４】
前記支持部材は、棒状に形成された棒状部材を含み、
前記棒状部材は、前記複数の入力領域に対向する領域の外側に配置するように前記シート保護手段に固定され、
前記係止手段は、前記棒状部材を挿入できるように、前記電子機器本体に形成された穴部を有する、請求項１に記載の電子機器。
【請求項５】
前記シート保護手段は、前記棒状部材の少なくとも一部を包むように形成された被膜部を含み、
前記棒状部材は、前記シート保護手段の前記電子機器本体と対向する表面に配置され、
前記シート保護手段を閉じたときに、前記被膜部と前記電子機器本体とが接触するように形成された、請求項４に記載の電子機器。
【請求項６】
前記シート保護手段は、前記棒状部材の少なくとも一部を包むように形成された被膜部を含み、
前記棒状部材は、円柱状に形成され、
前記被膜部は、断面形状における円の外周の全体を包むように形成された第１包囲部と、
前記外周の直径よりも小さな幅の切欠き部を有する第２包囲部と、
前記外周の直径とほぼ同じ幅の切欠き部を有する第３包囲部と
を有する、請求項４に記載の電子機器。
【発明の詳細な説明】
【技術分野】
【０００１】
本発明は、電子機器に関する。
【背景技術】
【０００２】
電子機器には、複数の入力領域を含み、それぞれの入力領域を押したり触ったりすることにより入力を行なう入力装置を備えるものがある。入力装置においては、たとえば、それぞれの入力領域を形成するキーを複数含むキーボードがある。または、入力領域が平面状に配列して配置されているキーボードがある。入力領域が平面状に形成されている入力装置は、たとえば、ＰＯＳ（Point Of Sales）システムや、ＥＣＲ（Electronic Cash Register）システムなどにおいて採用されている。
【０００３】
図１５に、入力装置を備えるＰＯＳシステム端末の概略斜視図を示す。ＰＯＳシステム端末は、筐体５と、フラットキーボード２と、表示パネル４とを備える。フラットキーボード２は、複数のキーが配列している。フラットキーボード２は、それぞれのキーの表面が平面状になるように形成されている。すなわち、それぞれのキーは突出せずに、一の平面状に形成されている。このキーボードにおいては、キーシートと呼ばれる領域表示シートをフラットキーボード２の表面に配置して使用する。
【０００４】
図１６に、キーシートの概略平面図を示す。キーシート３は、アルファベット文字や数字などの文字が記載されている。また、必要に応じて、「野菜」や「魚介」などの商品の分類や「合計」などの計算を行なうための表示などが記載されている。
【０００５】
図１７に、ＰＯＳシステム端末を用いるときの概略斜視図を示す。矢印４２に示すように、キーシート３をフラットキーボード２の表面に配置する。キーシート３に記載されているそれぞれの入力領域の境界は、フラットキーボード２の複数に分割された領域の境界に対応している。
【０００６】
図１８に、キーシートを配置したときのＰＯＳシステム端末の概略斜視図を示す。使用者は、キーシート３に記載された一の入力領域を押すことにより入力を行なう。キーシートは、紙などの可撓性を有する材料で形成されている。使用者が、キーシート３に記載された一の入力領域を押すことにより、キーシート３の下側に形成されたフラットキーボード２の対応するキーが押されて入力が行なわれる。
【０００７】
このＰＯＳシステム端末においては、キーシート３が交換可能に形成されている。キーシートには、フラットキーボードのキーの領域に対応するように任意の文字などを記載することができる。たとえば、大型の販売店においては、複数の売り場ごとにキーシートが準備され、それぞれの売り場に応じてキーシートが交換される。ＰＯＳシステム端末の本体においては、ソフトウェアの切換によってフラットキーボードのキー入力の情報を変更することができる。このように、キーシートの交換とソフトウェアの切換えによって、さまざまな状況に応じたキー入力を行なうことができる。
【０００８】
キーシートは、一般的に紙などの材質で作られているため、キーシートに水などがかかった場合、キーシートが破れる場合があった。また、水などがキーシートを浸透した後に、ＰＯＳシステム端末の内部に浸入して故障することがあった。また、キーボードのキーのそれぞれが独立して形成され、キー同士の間に隙間がある場合には、この隙間から水などが浸入して入力装置が故障することがあった。このため、ＰＯＳシステム端末などのキーボードの表面には、防滴カバーが配置されたものがある。
【０００９】
図１９に、防滴カバーを備えるＰＯＳシステム端末の第１の概略斜視図を示す。キーシート３の表面には、防滴カバー７が配置される。防滴カバー７は、透明な部材で形成されている。防滴カバー７は、防水性および弾力性を有する部材で形成されている。防滴カバー７は、端部のうち表示パネル４に近い側の端部が筐体５に固定されている。防滴カバー７は、回動可能なように固定されている。すなわち、防滴カバー７は、捲り上げることができるように形成されている。
【００１０】
ＰＯＳシステム端末の使用時においては、防滴カバー７をキーシート３の表面に配置する。防滴カバー７をキーシート３の表面に配置したときに、防滴カバー７を透過してキーシート３の表示を見ることができる。キー操作を行なう場合には、防滴カバー７の上側からキーシート３を押すことにより入力を行なう。
【００１１】
使用時においては、キーシート３は、防滴カバー７に覆われる。たとえば、水などがキーボードに向かってこぼれた場合においても、水などは防滴カバー７の表面に配置されて内部には浸透しない。このため、キーシート３およびフラットキーボード２を保護することができる。
【００１２】
キーシートが配置されたフラットキーボードは、たとえば、実開昭６２−１６０４２４号公報に開示されている。この公報においては、プリント基板上に互いに同一ピッチでマトリクス状に配設されたキースイッチと、その各キースイッチにそれぞれ装着された互いに同一サイズのキートップと、プリント基板を収容するキャビネットに対して着脱自在のキーシートおよびキーレイアウト記入紙とを備えるフラットキーボードが開示されている。
【００１３】
キーボードの防滴カバーとしては、たとえば、特開平１１−１８５５６３号公報に、キーボード上の所定位置に複数のキーが配設されたキー群と、このキー群の周囲を囲むように連続して形成されて両端がキーボード外部に開口した排水用溝と、この排水用溝で囲まれた領域を覆う大きさに形成されてキーボード上に着脱自在に載置され端縁が排水用溝内に位置する防水カバーを備えるキーボード防水構造が開示されている。このキーボード防水構造によれば、キーボード面のキー配設部分まで水が入り込むことはなく、確実な防水機能が得られ、水による故障から保護されると開示されている。
【００１４】
また、特開平１１−３３８６１８号公報においては、基本サイズの単キーのｎ倍の大きさに形成されて、複数個の単キーが等間隔で配列されるキー群中の任意の箇所に配設されるｎ倍キーを含み、キー群中の各キーを区切り凹部により区切った状態で覆うキーボード保護カバーが着脱自在に装着され、ｎ倍キーのキートップに単キーの等間隔の配列に対応させて頂部をｎ分割させる凹部をキーボード保護カバーの区切り凹部が入り込む大きさに形成したキーボード装置が開示されている。このキーボード装置によれば、ｎ倍キーがどのような配列でキー群中に割付け配設されても、単キー配列を基準として区切り凹部を形成した１種類のキーボード保護カバーで対応できると開示されている。
【特許文献１】実開昭６２−１６０４２４号公報
【特許文献２】特開平１１−１８５５６３号公報
【特許文献３】特開平１１−３３８６１８号公報
【発明の開示】
【発明が解決しようとする課題】
【００１５】
図２０に、防滴カバーを備えるＰＯＳシステム端末の第２の概略斜視図を示す。キーシート３を交換する時には、防滴カバー７を捲り上げた状態で交換を行なう。キーシート３を交換する時には、防滴カバー７を一方の手で持ちながら、他方の手でキーシート３を抜き取ったり、または、キーシート３を挿入したりする必要がある。キーシート３は、下側に配置されたキーを押すことができるように、紙などの軟らかな材質で形成されている。このため、キーシート３を片手で持ち上げると、キーシート３が撓んでしまって、フラットキーボード２の表面に配置することが難しいという問題があった。
【００１６】
図２１に、防滴カバーを備える他のＰＯＳシステム端末の概略斜視図を示す。このＰＯＳシステム端末の防滴カバー８は、使用時に誤って防滴カバー８が捲り上がらないように、捲り上がり防止バーとして棒状部材２７を有する。棒状部材２７は、キーシート３を押す領域を避けた領域に配置されている。棒状部材２７は、長手方向がＰＯＳシステム端末の前後方向になるように配置されている。
【００１７】
筐体５の表面には、凹部２８が形成されている。凹部２８は、棒状部材２７を内部に配置することができるように形成されている。使用時においては、棒状部材２７が凹部２８に配置される。棒状部材２７は、錘としての機能を有する。棒状部材２７が配置されていることにより、たとえば、風圧などにより防滴カバー８が捲れ上がることを防止できる。
【００１８】
しかし、このような他のＰＯＳシステム端末においても、キーシート３を片手で持ち上げると、キーシート３が撓んでしまって、フラットキーボード２の表面に配置することが難しいという問題があった。
【００１９】
本発明は、領域表示シートの取替えが容易な電子機器を提供することを目的とする。
【課題を解決するための手段】
【００２０】
本発明に基づく電子機器は、複数の入力領域を含む入力手段と、上記入力領域を表示するための交換可能な領域表示シートを覆うように形成されたシート保護手段と、上記シート保護手段を維持するための係止手段とを備える。上記シート保護手段は、上記領域表示シートを交換するために動くように形成され、かつ、上記シート保護手段の少なくとも一部を支持することができるように形成された支持部材を含む。上記係止手段は、上記支持部材と係合することにより、上記シート保護手段を上記領域表示シートを交換する時の状態に、係止するように形成されている。
【００２１】
上記発明において好ましくは、上記シート保護手段は、一の端部を回動軸として回動可能に、電子機器本体に固定されている。
【００２２】
上記発明において好ましくは、上記支持部材は、一部がシート保護手段から離れるように固定され、上記係止手段は、上記シート保護手段から離れた上記支持部材の上記一部と係合するように形成されている。
【００２３】
上記発明において好ましくは、上記支持部材は、棒状に形成された棒状部材を含む。上記棒状部材は、上記複数の入力領域に対向する領域の外側に配置するように上記シート保護手段に固定され、上記係止手段は、上記棒状部材を挿入できるように、上記電子機器本体に形成された穴部を有する。
【００２４】
上記発明において好ましくは、上記シート保護手段は、上記棒状部材の少なくとも一部を包むように形成された被膜部を含む。上記棒状部材は、上記シート保護手段の上記電子機器本体と対向する表面に配置されている。上記シート保護手段を閉じたときに、上記被膜部と上記電子機器本体とが接触するように形成されている。
【００２５】
上記発明において好ましくは、上記シート保護手段は、上記棒状部材の少なくとも一部を包むように形成された被膜部を含む。上記棒状部材は、円柱状に形成されている。上記被膜部は、断面形状における円の外周の全体を包むように形成された第１包囲部と、上記外周の直径よりも小さな幅の切欠き部を有する第２包囲部と、上記外周の直径とほぼ同じ幅の切欠き部を有する第３包囲部とを有する。
【発明の効果】
【００２６】
本発明によれば、領域表示シートの取替えが容易な電子機器を提供することができる。
【発明を実施するための最良の形態】
【００２７】
（実施の形態１）
図１から図１０を参照して、本発明に基づく実施の形態１における電子機器について説明する。本実施の形態における電子機器は、ＰＯＳシステム端末である。
【００２８】
本実施の形態におけるＰＯＳシステムは、ＰＯＳシステム本体とＰＯＳシステム端末とを備える。ＰＯＳシステム端末は、ＰＯＳシステム本体と接続可能に形成されている。ＰＯＳシステム本体は、ＰＯＳシステム端末に入力された情報を保存したり、分析したりすることができるように形成されている。
【００２９】
図１に、本実施の形態におけるＰＯＳシステム端末の概略斜視図を示す。ＰＯＳシステム端末は、筐体５を備える。筐体５の内部に電子部品が配置されている。ＰＯＳシステム端末は、表示パネル４を備える。表示パネル４は、操作状況や入力状況などが表示可能に形成されている。
【００３０】
本実施の形態におけるＰＯＳシステム端末は、入力手段としてのフラットキーボード２を備える。フラットキーボード２は、表面が平面状に形成されている。フラットキーボード２は、複数の入力領域を含む。本実施の形態における入力領域は、格子状に配置されている。それぞれの入力領域は、互いに隣接するように配置されている（図２０参照）。
【００３１】
本実施の形態におけるＰＯＳシステム端末は、領域表示シートとしてのキーシート３を備える。キーシート３は、フラットキーボードの表面に配置されている。ＰＯＳシステム端末は、キーシート３が交換可能に形成されている。本実施の形態におけるキーシート３は、紙で形成されている。
【００３２】
キーシート３の表面には、入力領域を表示するために、文字、数字および図形などが記載されている。キーシート３の表面に記載されている格子状の図形は、フラットキーボード２のそれぞれの入力領域に対応して記載されている。ＰＯＳシステム端末は、使用するソフトウェアを切換えるなどの方法により、それぞれのキーシートに合わせたキー操作が行なえるように形成されている。
【００３３】
本実施の形態におけるＰＯＳシステム端末は、キーシート３を保護するためのキーシート保護手段として、保護カバー１を備える。保護カバー１は、キーシート３を覆うように形成されている。保護カバー１は、可撓性を有するシート部１１を含む。シート部１１は、平面形状においてキーシート３よりも大きくなるように形成されている。シート部１１は、膜状に形成されている。シート部１１は、シリコンで形成されている。シート部１１は、保護カバー１をキーシート３の上面に配置したときに、シート部１１を介してキーシート３の表示を見ることができるように、透明な部材で形成されている。
【００３４】
保護カバー１は、幅方向の両端に配置された被膜部１２および棒状部材１３を含む。被膜部１２は、シート部１１と一体的に形成されている。被膜部１２は、少なくとも一部が棒状部材１３をシート部１１に固定するように形成されている。
【００３５】
棒状部材１３は、保護カバー１の少なくとも一部を支持することができるように支持部材として形成されている。棒状部材１３は、円柱状に形成されている。棒状部材１３は、長手方向を有する。本実施の形態における棒状部材１３は、鉄で形成されている。また、棒状部材１３は、風などにより保護カバー１が捲れ上がることを防止するための捲れ上がり防止バーとしての機能を有する。棒状部材１３を支持することにより、保護カバー１のうち、棒状部材１３が配置されている領域が支持される。
【００３６】
被膜部１２および棒状部材１３は、シート部１１の表面のうち、キーシート３に対向する表面に配置されている。被膜部１２および棒状部材１３は、シート部１１を押圧する領域を避けた領域に配置されている。被膜部１２および棒状部材１３は、保護カバー１の幅方向の両側の端部に配置されている。被膜部１２および棒状部材１３は、シート部１１を押圧する領域を挟むように配置されている。被膜部１２および棒状部材１３は、前後方向に延びるように配置されている。
【００３７】
筐体５の上面には、フラットキーボード２が配置されている（図２０参照）。筐体５は、フラットキーボード２の入力領域の外側に形成された凹部１５を含む。凹部１５は、幅方向の両側の端部に形成されている。凹部１５は、長手方向を有し、長手方向が前後方向に延びるように形成されている。凹部１５は、保護カバー１の被膜部１および棒状部材１３が収容可能に形成されている。このように、電子機器本体には、凹部が形成されている。
【００３８】
保護カバー１は、キーシート３を交換するために動くように形成されている。本実施の形態における保護カバー１は、端部が電子機器本体に固定されている。保護カバー１は、後側の端部が幅方向に亘って筐体５に固定されている。保護カバー１は、シート部１１の一の端部が、電子機器本体に固定されている。保護カバー１は、上記一の端部を回動軸として回動可能に形成されている。図１においては、ＰＯＳシステム端末の後側の端部を回動軸として、矢印４３に示すように回動可能に形成されている。
【００３９】
本実施の形態においては、シート保護手段としての保護カバー１を一の状態に維持するための係止手段を含む。係止手段は、筐体５に形成された穴部１６を含む。本実施の形態における穴部１６は、有底である。穴部１６は、キーシート３が配置される領域よりも後側に配置されている。穴部１６は、棒状部材１３の先端を突き刺すことができるように形成されている。
【００４０】
穴部１６は、保護カバー１の棒状部材１３と係合することにより、保護カバー１を係止することができるように形成されている。本実施の形態における穴部１６は、棒状部材１３を突き刺すことにより、棒状部材１３を支持できるように形成されている。本実施の形態においては、幅方向の両側に配置されたそれぞれの棒状部材１３を対応する穴部１６に突き刺すことにより、保護カバー１を係止できるように形成されている。
【００４１】
図２に、保護カバーを閉じたときの概略断面図を示す。図２は、ＰＯＳシステム端末を前後方向に切断したときの概略断面図である。棒状部材１３および被膜部１２は、筐体５に形成された凹部１５に配置される。穴部１６は、凹部１５の後側に配置されている。本実施の形態においては、穴部１６は、凹部１５の後側に配置されているが、この形態に限られず、穴部１６は、凹部１５の内部に形成されていても構わない。
【００４２】
保護カバー１は、シート部１１の端部３５が筐体５に形成された溝部に圧入されることによって、筐体５に固定されている。保護カバーの固定においては、この形態に限られず、たとえば、ビスなどによってシート部が筐体に固定されていても構わない。
【００４３】
図３に、保護カバー１の被膜部および棒状部材の部分の拡大概略斜視図を示す。被膜部１２は、シート部１１の表面から飛び出すように形成されている。被膜部１２は、棒状部材１３の形状に沿って形成されている。被膜部１２と棒状部材１３とは、延びる方向の長さが互いに略同じになるように形成されている。
【００４４】
被膜部１２は、棒状部材１３の断面形状における円の外周全体を包むように形成された第１包囲部１２ａを含む。第１包囲部１２ａは、棒状部材１３を締め付けることにより棒状部材１３をシート部１１に固定できるように形成されている。
【００４５】
被膜部１２は、棒状部材１３の断面形状における円の直径よりも小さな幅の切欠き部３１を有する第２包囲部１２ｂを含む。第２包囲部１２ｂの切欠き部３１は、シート部１１が配置されている側と反対側に形成されている。切欠き部３１は、棒状部材１３の長手方向に沿って形成されている。切欠き部３１は、保護カバー１を閉じたときに下側となる部分に形成されている。
【００４６】
被膜部１２は、棒状部材１３の断面形状における円の直径とほぼ同じ幅の切欠き部３２を有する第３包囲部１２ｃを含む。第３包囲部１２ｃの切欠き部３２は、シート部１１が配置されている側と反対側に形成されている。切欠き部３２は、棒状部材１３の長手方向に沿って形成されている。切欠き部３２は、保護カバー１を閉じたときに下側となる部分に形成されている。
【００４７】
第３包囲部１２ｃは、棒状部材１３の一部が着脱可能に形成されている。すなわち、第３包囲部１２ｃは、棒状部材１３が被膜部１２から離れるように形成されている。第３包囲部１２ｃの長手方向の長さは、筐体５に形成された穴部１６の深さよりも長くなるように形成されている。
【００４８】
第２包囲部１２ｂは、保護カバー１の前側の領域に形成されている。第３包囲部１２ｃは、保護カバー１の後側の領域に形成されている。第１包囲部１２ａは、第２包囲部１２ｂと第３包囲部１２ｃとに挟まれる領域に形成されている。
【００４９】
図４に、保護カバーを閉じたときの概略断面図を示す。図４は、ＰＯＳシステム端末を幅方向に切断したときの概略断面図である。筐体５の上部には、フラットキーボード２が形成されている。フラットキーボード２の上面には、キーシート３が配置されている。キーシート３の上面には、保護カバー１のシート部１１が配置されている。保護カバー１の棒状部材１３および被膜部１２は、筐体５の凹部１５に配置されている。
【００５０】
図５から図７に、ＰＯＳシステム端末を幅方向に平行な面で切断したときの被膜部の部分の拡大概略断面図を示す。図５は、第１包囲部の部分の拡大概略断面図を示す。図６は、第２包囲部の部分の拡大概略断面図を示す。図７は、第３包囲部の部分の拡大概略断面図を示す。
【００５１】
図５から図７を参照して、第１包囲部１２ａ、第２包囲部１２ｂおよび第３包囲部１２ｃは、少なくとも一部が凹部１５の表面に接するように形成されている。すなわち、第１包囲部１２ａ、第２包囲部１２ｂおよび第３包囲部１２ｃは、それぞれが電子機器本体とが接触するように形成されている。この構成により、凹部１５と、第１包囲部１２ａ、第２包囲部１２ｂまたは第３包囲部１２ｃとの間でシール部分を形成することができる。この結果、保護カバー１の側方から、保護カバー１と筐体５との隙間から水などが浸入することを効果的に防止することができる。
【００５２】
本実施の形態における保護カバーの被膜部は、断面形状が棒状部材の断面形状に沿うように形成されているが、この形態に限られず、任意の断面形状を採用することができる。たとえば、被膜部は、筐体に形成された凹部の形状に沿って形成されていても構わない。
【００５３】
図８に、キーシートを取替えるときの第１工程を説明する概略断面図を示す。キーシートを取替えるときには、保護カバー１を捲り上げる。保護カバー１を棒状部材の長手方向がほぼ鉛直方向と平行になるまで捲り上げる。
【００５４】
被膜部１２のうち、第１包囲部１２ａと第２包囲部１２ｂとは、棒状部材１３を保持した状態になる。しかし、第３包囲部１２ｃにおいては、切欠き部の幅が棒状部材１３の直径とほぼ同じになるように形成されているため、棒状部材１３の先端部が、被膜部１２から離れる。棒状部材１３の先端部が自由端になる。
【００５５】
図９に、キーシートを取替えるときの第２工程を説明する概略断面図を示す。保護カバー１を捲り上げることによって自由端となった棒状部材１３の先端部を、筐体５に形成された穴部１６に挿入する。棒状部材１３が、穴部１６に嵌合することにより、棒状部材１３が、筐体５に支持される。
【００５６】
図１を参照して、ＰＯＳシステム端末の幅方向の両側に配置されたそれぞれの棒状部材１３を、筐体５の幅方向の両端に形成された穴部１６に挿入することにより、保護カバー１は、捲り上げられた状態で保持される。本実施の形態においては、保護カバー１のシート部１１の主表面がほぼ鉛直方向になるように、保護カバー１を拘束することができる。このように、キーシート３を交換するときの状態に保護カバー１を支持することができる。
【００５７】
したがって、片手で保護カバー１を保持しておく必要はなく、両手を使ってキーシート３をフラットキーボード２の表面に配置することができ、キーシート３を配置する作業効率が向上する。たとえば、軟らかな紙などで形成されたキーシート３を交換する場合においても、両手を使って速やかにキーシートを交換することができる。
【００５８】
保護カバー１を、ＰＯＳシステム端末の使用時の状態に戻すときには、キーシート３を配置した後に穴部１６から棒状部材１３を引き抜く。次に、保護カバー１を回動して、キーシート３の表面に保護カバー１を配置する。被膜部１２は、凹部１５に配置される。
【００５９】
本実施の形態における保護カバーは、一の端部を回動軸として回動可能に形成されている。この構成により、容易に保護カバーをキーシートの交換が可能な状態にすることができる。
【００６０】
また、本実施の形態における保護カバーは、可撓性を有するシート部を含み、支持部材としての棒状部材の一部がシート部から離れるように形成されている。この構成を採用することにより、支持部材の離れた部分を用いて、キーシートを取替えるときの状態に保護カバーを容易に拘束することができる。
【００６１】
また、本実施の形態における係止手段は、筐体に形成された穴部を含み、穴部は、シート部から離れた棒状部材の一部と係合するように形成されている。この構成により、保護カバーを、キーシート３を取替える状態に拘束するために、錘の機能を有する棒状部材を用いることができる。
【００６２】
また、本実施の形態における支持部材は、シート部に固定された棒状部材を含み、電子機器本体は、棒状部材を挿入できるように形成された穴部を有する。この構成により、棒状部材を穴部に挿入するという簡易な動作で、表示シートを取替える状態に保護カバーを拘束することができる。
【００６３】
本実施の形態における穴部１６は、キーシート３が配置される領域よりも後側に配置されている。この構成により、キーシート３を配置するときに、キーシート３が配置される領域を完全に開放することができ、キーシート３の配置を容易に行なうことができる。
【００６４】
本実施の形態における保護カバー１は、被膜部１２を含み、被膜部１２は、円の外周の全体を包むように形成された第１包囲部１２ａを有する。この構成により、棒状部材１３が、被膜部１２から外れてしまうことを防止できる。第１包囲部１２ａとしては、棒状部材１３を締め付けて固定できるように形成されていることが好ましい。たとえば、第１包囲部１２ａは、棒状部材１３を圧入するような内径を有することが好ましい。
【００６５】
被膜部１２は、棒状部材１３の外周の直径よりも小さな幅の切欠き部３１を有する第２包囲部１２ｂを有する。この構成により、第２包囲部で棒状部材１３を保持するとともに、製造時において棒状部材１３を被膜部１２に挿入するときの抵抗を小さくすることができる。
【００６６】
被膜部１２は、棒状部材１３の外周の直径とほぼ同じ幅の切欠き部３２を有する第３包囲部１２ｃを有する。この構成により、棒状部材１３の一部をシート部１１から容易に離すことができ、棒状部材１３を穴部１６に固定することができる。第３包囲部１２ｃの切欠き部３２は、棒状部材が１３が被膜部１２から離れるように形成されていれば構わない。たとえば、切欠き部３２は、棒状部材１３の外周の直径よりも広い幅を有するように形成されていても構わない。
【００６７】
本実施の形態においては、棒状部材１３が被膜部によってシート部１１に固定されているが、特にこの形態に限られず、たとえば、棒状部材１３がシート部１１に接着剤によって固定されていてもよい。このときには、棒状部材の一方の先端部は、接着剤による固定を行なわずに自由端に形成する。保護カバーを固定するときには、この自由端を電子機器本体の穴部に挿入する。
【００６８】
本実施の形態においては、棒状部材および穴部が円柱状に形成されているが、棒状部材および穴部は、任意の形態を採用することができる。棒状部材および穴部は、棒状部材を穴部に挿入することにより、棒状部材が支持されるように形成されていれば構わない。
【００６９】
本実施の形態においては、筐体に形成された穴部は、鉛直方向に延びるように形成されているが、この形態に限られず、穴部は、前側、後側または幅方向のいずれかの方向に傾くように延びていても構わない。
【００７０】
図１０に、本実施の形態における他の棒状部材と他の挿入穴との部分の拡大概略断面図を示す。棒状部材１８は、穴部１７に挿入される端部がテーパ状に形成されている。また、筐体５に形成された穴部１７は、入口部分が傾斜面を有するように形成されている。この構成により、棒状部材１８の先端を穴部１７に容易に挿入することができる。すなわち、棒状部材１８の中心軸と穴部１７の中心軸とがずれた状態で挿入しようとした場合においても、棒状部材１８を穴部１７に導くことができる。
【００７１】
本実施の形態においては、入力手段としてフラットキーボードが配置されているが、この形態に限られず、表面に凹凸を有するキーボードに対しても本発明を適用することができる。または、入力手段としては、たとえばタッチパネルを含んでいても構わない。
【００７２】
本実施の形態における係止手段は、シート部の主表面が鉛直方向に向くように保護カバーを固定するように形成されているが、この形態に限られず、係止手段は、領域表示シートが交換可能な一の状態に保護カバーを支持できれば構わない。
【００７３】
本実施の形態においては、電子機器のうち、ＰＯＳシステム端末について説明を行なったが、この形態に限られず、複数の入力領域を含む入力手段を備える任意の電子機器に本発明を適用することができる。たとえば、ＥＣＲシステムやペンタブレット（登録商標）に本発明を適用することができる。
【００７４】
（実施の形態２）
図１１および図１２を参照して、本発明に基づく実施の形態２における電子機器について説明する。本実施の形態における電子機器は、ＰＯＳシステム端末である。
【００７５】
図１１に、本実施の形態におけるＰＯＳシステム端末の概略斜視図を示す。図１２に、本実施の形態における保護カバーの角の部分の拡大概略斜視図を示す。本実施の形態におけるＰＯＳシステム端末は、保護カバー６を備える。保護カバー６は、幅方向の両側の端部に、被膜部１２および棒状部材１３を有し、さらに、前側に被膜部１９および棒状部材３７を有する。
【００７６】
棒状部材３７および被膜部１９は、ＰＯＳシステム端末の幅方向に延びるように形成されている。棒状部材３７は、円柱状に金属で形成されている。被膜部１９は、棒状部材３７の断面形状における円の直径よりも小さな幅の切欠き部３３を有する。切欠き部３３は、棒状部材３７の延びる方向に沿って一方の端から他方の端まで形成されている。
【００７７】
筐体５は、キーシート３が配置される領域の幅方向の両側に形成された凹部１５と、キーシート３が配置される領域の前側に形成された凹部２９とを有する。凹部２９は、被膜部１９を内部に配置できるように形成されている。凹部２９は、被膜部１９の少なくとも一部が接触するように形成されている。
【００７８】
本実施の形態における保護カバーは、被膜部および棒状部材が、ほぼコの字形になるように配置されている。筐体は、被膜部および棒状部材に対応するように、コの字形に形成された凹部を含む。たとえば、前側に配置された棒状部材３７の部分を掴むことにより、容易に保護カバー６を捲り上げることができる。また、片手で、保護カバー６を捲り上げて、保護カバー６を筐体５に固定することができる。
【００７９】
さらに、保護カバー６の前側に被膜部１９および棒状部材３７が配置され、被膜部１９が凹部２９の少なくとも一部と接触するように形成されている。この構成により、前側から保護カバーと筐体との間に水などが浸入することを防止できる。この結果、前方および側方から保護カバーと筐体との間に水などが浸入することを防止できる。
【００８０】
その他の構成、作用および効果については、実施の形態１と同様であるのでここでは説明を繰返さない。
【００８１】
（実施の形態３）
図１３を参照して、本発明に基づく実施の形態３における電子機器について説明する。本実施の形態における電子機器は、ＰＯＳシステム端末である。
【００８２】
図１３に、本実施の形態におけるＰＯＳシステム端末の概略斜視図を示す。本実施の形態におけるＰＯＳシステム端末は、保護カバー９を備える。保護カバー９は、被膜部３８および棒状部材２０を含む。被膜部３８および棒状部材２０は、フラットキーボードの複数の入力領域全体の長さよりも短くなるように形成されている。
【００８３】
筐体５は、凹部２１および穴部２２を有する。凹部２１は、キーシート３が配置される領域の前後方向の長さよりも短くなるように形成されている。凹部２１は、被膜部３８および棒状部材２０の長手方向の長さに対応するように形成されている。穴部２２は、凹部２１の後側に形成されている。穴部２２は、キーシート３が配置される領域の側方に配置されている。被膜部３８が、第１包囲部、第２包囲部および第３包囲部を有することは、実施の形態１と同様である。
【００８４】
本実施の形態においては、保護カバー９を捲り上げた後に、棒状部材２０の先端部を穴部２２に刺し込んで固定する。キーシート３が配置される領域の一部は、保護カバー９に覆われている状態にある。しかしながら、この形態においても、キーシート３を保護カバー９と筐体５との間に挿入することにより、キーシート３をフラットキーボードの上面に配置することができる。
【００８５】
その他の構成、作用および効果については、実施の形態１と同様であるのでここでは説明を繰返さない。
【００８６】
（実施の形態４）
図１４を参照して、本発明に基づく実施の形態４における電子機器について説明する。本実施の形態における電子機器は、ＰＯＳシステム端末である。
【００８７】
図１４に、本実施の形態におけるＰＯＳシステム端末の概略斜視図を示す。本実施の形態における保護カバー１０は、幅方向の両側の端部に、支持部材としての棒状部材２４を含む。棒状部材２４は、シート部３６に接着剤によって固定されている。
【００８８】
棒状部材２４は、係止穴部２５を有する。係止穴部２５は、保護カバー１０の前側の領域に形成されている。電子機器本体の筐体５には、凹部２３が形成されている。凹部２３は、棒状部材２４を内側に配置できるように形成されている。凹部２３は、棒状部材２４の長手方向の長さに対応して形成されている。
【００８９】
本実施の形態におけるＰＯＳシステム端末は、保護カバー１０を一の状態に支持するための係止手段を備え、係止手段は、爪部材２６を含む。爪部材２６は、表示パネル４の幅方向の両側の側面に配置されている。爪部材２６は、矢印４１に示すように任意の方向に回動可能に支持されている。爪部材２６の先端は、フック状に形成されている。
【００９０】
本実施の形態においては、保護カバー１０を捲くり上げた状態において、爪部材２６の先端を棒状部材２４の係止穴部２５に挿入する。棒状部材２４は、爪部材２６に拘束される。保護カバー１０は、捲くり上げられた状態に拘束される。
【００９１】
このように、本実施の形態においては、両側に配置された爪部材２６と棒状部材２４の係止穴部２５とが係合することによって、保護カバー１０を開いた状態に拘束することができ、キーシート３の取替えを容易に行なうことができる。
【００９２】
その他の構成、作用および効果については、実施の形態１と同様であるのでここでは説明を繰返さない。
【００９３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００９４】
【図１】実施の形態１におけるＰＯＳシステム端末の概略斜視図である。
【図２】実施の形態１におけるＰＯＳシステム端末の第１の概略断面図である。
【図３】実施の形態１におけるＰＯＳシステム端末の棒状部材の部分の拡大概略斜視図である。
【図４】実施の形態１におけるＰＯＳシステム端末の第２の概略断面図である。
【図５】実施の形態１におけるＰＯＳシステム端末の棒状部材および被膜部の部分の第１の概略断面図である。
【図６】実施の形態１におけるＰＯＳシステム端末の棒状部材および被膜部の部分の第２の概略断面図である。
【図７】実施の形態１におけるＰＯＳシステム端末の棒状部材および被膜部の部分の第３の概略断面図である。
【図８】実施の形態１におけるＰＯＳシステム端末において、保護カバーを開けるときの第１の工程図である。
【図９】実施の形態１におけるＰＯＳシステム端末において、保護カバーを開けるときの第２の工程図である。
【図１０】実施の形態１における他の棒状部材と他の筐体の穴部とを説明する拡大概略断面図である。
【図１１】実施の形態２におけるＰＯＳシステム端末の概略斜視図である。
【図１２】実施の形態２におけるＰＯＳシステム端末の保護カバーの端部の拡大概略斜視図である。
【図１３】実施の形態３におけるＰＯＳシステム端末の概略斜視図である。
【図１４】実施の形態４におけるＰＯＳシステム端末の概略斜視図である。
【図１５】従来の技術における第１のＰＯＳシステム端末の概略斜視図である。
【図１６】キーシートの概略平面図である。
【図１７】従来の技術における第１のＰＯＳシステム端末にキーシートを配置するときの概略斜視図である。
【図１８】従来の技術における第１のＰＯＳシステム端末にキーシートを配置したときの概略斜視図である。
【図１９】従来の技術における第２のＰＯＳシステム端末の概略斜視図である。
【図２０】従来の技術における第２のＰＯＳシステム端末にキーシートを配置するときの概略斜視図である。
【図２１】従来の技術における第３のＰＯＳシステム端末の概略斜視図である。
【符号の説明】
【００９５】
１，６，９，１０  保護カバー、２  フラットキーボード、３  キーシート、４  表示パネル、５  筐体、７，８  防滴カバー、１１，３６  シート部、１２，１９，３８  被膜部、１２ａ  第１包囲部、１２ｂ  第２包囲部、１２ｃ  第３包囲部、１３，１８，２０，２４，２７，３７  棒状部材、１５，２１，２３，２８，２９  凹部、１６，１７，２２  穴部、２５  係止穴部、２６  爪部材、３１〜３３  切欠き部、３５  端部、４１〜４３  矢印。
【図１】
2007148662.tif 000003
【図２】
2007148662.tif 000004
【図３】
2007148662.tif 000005
【図４】
2007148662.tif 000006
【図５】
2007148662.tif 000007
【図６】
2007148662.tif 000008
【図７】
2007148662.tif 000009
【図８】
2007148662.tif 000010
【図９】
2007148662.tif 000011
【図１０】
2007148662.tif 000012
【図１１】
2007148662.tif 000013
【図１２】
2007148662.tif 000014
【図１３】
2007148662.tif 000015
【図１４】
2007148662.tif 000016
【図１５】
2007148662.tif 000017
【図１６】
2007148662.tif 000018
【図１７】
2007148662.tif 000019
【図１８】
2007148662.tif 000020
【図１９】
2007148662.tif 000021
【図２０】
2007148662.tif 000022
【図２１】
2007148662.tif 000023